(57)【要約】【課題】石鹸の水切れがよく、取り出しやすい、石鹸を立てて入れる石鹸入れの提供。【解決手段】本発明の石鹸を立てて入れる石鹸入れは、Ｕ字型断面で、かつＬ字型形状をした石鹸ホルダー部と、前記石鹸ホルダー部を支持する台座部とから成り、前記Ｌ字型形状の２辺が直交、または鋭角を成し、かつ前記２辺ともに水平方向、または鉛直方向と１０度以上８０度以下の角度を成し、かつ前記２辺のうち、少なくとも１辺の前記Ｕ字型断面の両側面部に欠落している箇所があることを特徴とする。【選択図】　　　　図１
2004008758.tif 000002
【特許請求の範囲】
【請求項１】
Ｕ字型断面で、かつＬ字型形状をした石鹸ホルダー部と、前記石鹸ホルダー部を支持する台座部とから成り、前記Ｌ字型形状の２辺が直交、または鋭角を成し、かつ前記２辺ともに水平方向、または鉛直方向と１０度以上、８０度以下の角度を成し、かつ前記２辺のうち、少なくとも１辺の前記Ｕ字型断面の両側面部に欠落している箇所があることを特徴とする、石鹸を立てて入れる石鹸入れ。
【請求項２】
前記石鹸ホルダー部は、前記Ｕ字型断面の底部に前記Ｌ字型形状に沿って１筋、または複数筋の隆起部があることを特徴とする請求項１記載の石鹸を立てて入れる石鹸入れ。
【請求項３】
前記石鹸ホルダー部は、前記Ｕ字型断面の底部に前記Ｌ字型形状に沿って１列、または複数列に並んだ複数の突起部があることを特徴とする請求項１記載の石鹸を立てて入れる石鹸入れ。
【請求項４】
前記台座部は、底面に単独、または複数の吸盤を備えることを特徴とする請求項１記載の石鹸を立てて入れる石鹸入れ。
【発明の詳細な説明】
【０００１】
【発明の属する技術分野】
本発明は、石鹸を立てて入れる石鹸入れに関する。
【０００２】
【従来の技術】
従来の石鹸入れは、石鹸の一番面積の広い面を下にして支える構造である。石鹸の水気を切るために、石鹸入れと石鹸が接触する面積が少なくなるよう、石鹸入れ側に複数の溝があったり、数多くの突起で支える構造をとるものが一般的であった。
【０００３】
【発明が解決しようとする課題】
しかしながら、従来の構造ではどのような工夫をしても、石鹸入れと石鹸が接触する接触面積を減らすことに限度があり、数多くの突起で支える構造に至っては、やわらかくなった石鹸が突起間に詰まり、かえって石鹸の水気が切れにくい、早く消耗してしまうという問題も発生していた。また、石鹸の一番面積の広い面を下にして支える構造のため、石鹸入れのサイズが大きく、広い設置スペースが必要で、狭い洗面台には置けないという問題も発生していた。さらに、石鹸が小さくなるほど手でつかみにくいという問題もあった。
【０００４】
本発明は、かかる従来の石鹸入れの問題点を解決すべくなされたもので、石鹸の水気がよく切れ、しかも、手でさっとつかみやすく、設置スペースも従来の半分以下で済む石鹸入れを提供することを目的とする。
【０００５】
【課題を解決するための手段】
請求項１に記載の発明は、Ｕ字型断面で、かつＬ字型形状をした石鹸ホルダー部と、前記石鹸ホルダー部を支持する台座部とから成り、前記Ｌ字型形状の２辺が直交、または鋭角を成し、かつ前記２辺ともに水平方向、または鉛直方向と１０度以上、８０度以下の角度を成し、かつ前記２辺のうち、少なくとも１辺の前記Ｕ字型断面の両側面部に欠落している箇所があることを特徴とする石鹸を立てて入れる石鹸入れである。
【０００６】
かかる発明によれば、石鹸ホルダー部に石鹸を立てて入れることができる。ここで、石鹸を直方体と考えた場合の、一番広い面の縦、横をａ辺、ｂ辺とし、ａ辺、ｂ辺と直交する石鹸の厚み方向をｃ辺ということにする。前記石鹸ホルダー部のＬ字型形状の２辺が直交する場合、この２辺に石鹸の前記ａ辺、前記ｂ辺が沿い、しっかりと石鹸を保持できる。前記Ｕ字型断面の深さは浅いため、石鹸に接触する部分は少ない。しかも前記石鹸ホルダー部のＬ字型形状の２辺が水平方向とも鉛直方向とも一致しない傾きを持っているため、前記Ｌ字型形状の角部が一番低い位置となり、石鹸の水気は前記Ｌ字型形状の角部に集まり、水気を抜きやすい構造である。さらに、前記石鹸ホルダー部のＬ字型形状の２辺が適度な鋭角を成す場合は、一番低い位置にある石鹸角部が少し浮いた状態となり、石鹸の水気を切るにはもっと都合がよい。また、前記石鹸ホルダー部のＵ字型断面は、両側に側面部が一部欠落した箇所があるので、その箇所を利用して親指と人差し指で石鹸を挟むように持ち上げれば、容易に石鹸を取り出すことができる。もちろん、石鹸を立てて入れる構造のため、設置スペースをとらない。
【０００７】
請求項２に記載の発明は、前記石鹸ホルダー部は、前記Ｕ字型断面の底部に前記Ｌ字型形状に沿って１筋、または複数筋の隆起部があることを特徴とする請求項１記載の石鹸を立てて入れる石鹸入れである。
石鹸ホルダー部の底部に１筋、または複数筋の隆起部があると、立てて入れた場合の石鹸底部と石鹸ホルダー部との接触面積を小さくすることができる。また、使うに従って石鹸は小さく薄くなるが、かなり小さくなった場合、石鹸ホルダー部のＵ字型断面の幅に比べて石鹸の前記ｃ辺が極端に短くなり、石鹸ホルダー部に入れた石鹸が倒れやすくなる。石鹸ホルダー部の底部に１筋、または複数筋の隆起部があると、小さくなった石鹸が横すべりするのを隆起部で抑制でき、石鹸の倒れ角度を小さくすることができる。
【０００８】
請求項３に記載の発明は、前記石鹸ホルダー部は、前記Ｕ字型断面の底部に前記Ｌ字型形状に沿って１列、または複数列に並んだ複数の突起部があることを特徴とする請求項１記載の石鹸を立てて入れる石鹸入れである。
石鹸ホルダー部の底部に１列、または複数列に並んだ複数の突起部があると請求項２と同様の効果があり、立てて入れた場合の石鹸底部と石鹸ホルダー部との接触面積を小さくすることができると同時に、小さくなった石鹸が横すべりするのを複数の突起部で抑制でき、石鹸の倒れ角度を小さくすることができる。
【０００９】
請求項４に記載の発明は、前記台座部は、底面に単独、または複数の吸盤を備えることを特徴とする請求項１記載の石鹸を立てて入れる石鹸入れである。
石鹸を立てて入れる構造は石鹸入れの重心が高くなるため、台座部の底面積を広く取る必要があるが、底面に吸盤を付ければ、台座部が小さくても洗面台にしっかりと固定でき、しかも狭い設置スペースで済む。
【００１０】
【発明の実施の形態】
以下、添付図面に基づいて本発明の実施の形態について説明する。
図１は本発明の一実施形態における石鹸を立てて入れる石鹸入れを示す図である。石鹸を立てて入れる石鹸入れは、図１に示すように、石鹸ホルダー部１、台座部２から構成される。石鹸ホルダー部１の基本形状は、底部ラインがＡライン５１、Ｂライン５２とからなるＬ字型形状をなし、ホルダー角部１０を挟んでＡライン５１とＢライン５２は直角に交わる。また、石鹸ホルダー部１はＵ字型断面をしている。Ａライン５１、Ｂライン５２は、どちらも水平方向、または鉛直方向と１０度以上８０度以下の角度を成す。また、石鹸ホルダー部１のＢライン５２側には、ホルダー側面部が欠落した箇所２０が２カ所ある。台座部２の底部には吸盤３０が付いている。
【００１１】
石鹸の短辺１０１はＡライン５１に、石鹸の長辺１０２はＢライン５２に沿うように、石鹸１００は石鹸ホルダー部１に入れられる。洗面台に石鹸入れを置く場合、Ｂライン５２が水平方向となす角度を３０度程度としたほうが、洗面台の正面（方向Ａ側）から立った姿勢で石鹸を取り出しやすいという利点がある。また、Ｂライン５２が傾斜していると、ホルダー角部１０が一番低い位置となるため、石鹸に付着した水分がホルダー角部１０に集まり、ホルダー角部１０の底部に開けられた穴から排水すれば、石鹸の水気を効率的に除去することができる。排水穴はホルダー角部１０以外にも石鹸ホルダー部１の適当な箇所に複数開けるべきであるが、排水穴の設置は石鹸入れの機能として当然のことなので本実施の形態では特に図示していない。
石鹸を取り出す場合は、洗面台の正面（方向Ａ側）から見て、ホルダー側面部が欠落した箇所２０の位置に、片側から親指、もう片側からは人差し指を当て、石鹸を挟み込むように持ち上げれば、容易に石鹸を取り出すことができる。また、実施例では台座部２に付けられた吸盤３０は１ヶであるが、複数の吸盤を取り付けてさらなる取り付け安定性を増してもよい。また、実施例として図示した石鹸は直方体であるが、丸形の石鹸形状の場合でも、石鹸ホルダー部１はしっかりと石鹸を保持でき、しかも容易に石鹸を取り出すことができる。
【００１２】
図２は本発明の一実施形態における小さくなった石鹸を入れた場合の石鹸入れを示す図である。石鹸が小さくなった場合は、ホルダー角部１０付近を利用して小さくなった石鹸１１０を立てることができる。小さくなった石鹸１１０を取り出す場合は、石鹸ホルダー部１のＵ字型断面をなす溝に人差し指一本を方向Ｂ側から入れ、石鹸を手前に掻き出すようにすれば容易に取り出すことができる。つまり、本発明の石鹸ホルダー部１の形状は新しい石鹸が少しずつ小さくなって、どのようなサイズになっても石鹸を保持できるうえに、取り出しやすい。
【００１３】
図３は本発明の一実施形態における台座部の取り付け２態を示す図である。
（ａ）はＢライン５２が水平方向と３０度の角度を成し、石鹸ホルダー部１に台座部２が鉛直方向に取り付けられた例で、台座部２に付属した吸盤３０にて水平面２０１に固定された状態を示している。（ｂ）はＢライン５２が鉛直方向と２０度の角度を成し、石鹸ホルダー部１に台座部２が水平方向に取り付けられた例で、台座部２に付属した吸盤３０にて垂直面２０２に固定された状態を示している。（ｂ）の設置方法は、たとえば、浴室の鏡の右上に取り付け、立ってシャワーを浴びながら石鹸を使用する場合に非常に便利である。図３からわかるように、Ｂライン５２の角度を用途に応じて最適に設定することにより、正面方向からの石鹸取り出しを容易にすることができる。
【００１４】
図４は本発明の一実施形態における石鹸入れの断面を例示した図である。
（ａ）は石鹸ホルダー部１の基本的なＵ字型断面である。また、（ｂ）のように半円型の断面もＵ字型断面とみなしている。もちろん、石鹸を入れやすくするために（ｃ）のように（ａ）の形状から側面の先端が少し開いた形とすることもできる。また、請求項２の実施例となるが、（ｄ）は、底部に１筋の隆起部４１がある場合の断面であり、（ｅ）は２筋の隆起部４１がある場合の断面を示している。請求項３の実施例は図示しないが、１列に複数の突起部を並べた状態は、突起部中央を通る断面は（ｄ）、突起部のない箇所での断面は（ａ）と同様となる。また、２列に複数の突起部を並べた状態は、突起部先端を通る断面は（ｅ）、突起部のない箇所での断面は（ａ）と同様となる。もちろん、２列に複数の突起部を並べた場合、２列の突起部は千鳥状に配してもよい。
【００１５】
図５は本発明の一実施形態における小さな石鹸の立っている状態の断面を示す図である。石鹸ホルダー部１の断面形状は図３の（ｄ）の場合に相当するが、石鹸ホルダー部１の底部に一筋の隆起部４１があると、小さくなった石鹸１１０が横すべりするのを隆起部４１で抑制でき、石鹸の倒れ角度を小さくして片方の側面で支えることができる。石鹸が小さくなるほど水気を切りにくく、石鹸がくずれやすいが、石鹸の倒れ角度を小さくすることにより手早く水気を切ることができる。
【００１６】
【発明の効果】
この発明の石鹸入れを用いれば、石鹸の摩耗程度に関わらず、石鹸の水気がよく切れ、しかも、手でさっとつかみやすく、設置スペースも従来の半分以下で済む。デザイン的にも斬新であるため、これまで形状に変化のなかった石鹸入れがおしゃれに生まれ変わり、停滞した市場を活性化できる商品に成長する可能性があり、家庭用品分野の産業振興に多大の効果を奏し得るものである。
【図面の簡単な説明】
【図１】本発明の一実施形態における石鹸を立てて入れる石鹸入れを示す図である。
【図２】本発明の一実施形態における小さくなった石鹸を入れた場合の石鹸入れを示す図である。
【図３】本発明の一実施形態における台座部の取り付け２態を示す図である。
【図４】本発明の一実施形態における石鹸入れの断面を例示した図である。
【図５】本発明の一実施形態における小さな石鹸の立っている状態の断面を示す図である。
【符号の説明】
１　　石鹸ホルダー部
２　　台座部
１０　ホルダー角部
２０　ホルダー側面部が欠落した箇所
３０　吸盤
４１　隆起部
５１　Ａライン
５２　Ｂライン
１００　石鹸
１０１　石鹸の短辺
１０２　石鹸の長辺
１１０　小さくなった石鹸
２０１　水平面
２０２　垂直面
【図１】
2004008758.tif 000003
【図２】
2004008758.tif 000004
【図３】
2004008758.tif 000005
【図４】
2004008758.tif 000006
【図５】
2004008758.tif 000007